(57)【要約】【課題】  指針が透視部の周囲を移動する場合であっても、指針の視認性を向上させることが可能な車両用計器を提供する。【解決手段】  第１の透視部５１とこの第１の透視部５１の周囲に形成される指標部５２とを有する指標板５と、第１の透視部５１に対応する第２の透視部７１を有する回転体７と、この回転体７に固定され第１の透視部５１の周囲を指標部５２に沿って移動する指針６と、回転体７を回転駆動し指針６を移動させる駆動装置８と、指標板５の背後に配置され第１，第２の透視部５１，７１を通じて観察者に所定情報を表示する表示装置２とを備え、表示装置２に指針６に連動して移動する表示部２１を表示させる。【選択図】  図１
2005156461.tif 000002
【特許請求の範囲】
【請求項１】
第１の透視部とこの第１の透視部の周囲に形成される指標部とを有する指標板と、
前記第１の透視部に対応する第２の透視部を有する回転体と、
この回転体に固定され前記第１の透視部の周囲を前記指標部に沿って移動する指針と、
前記回転体を回転駆動し前記指針を移動させる駆動装置と、
前記指標板の背後に配置され前記第１，第２の透視部を通じて観察者に所定情報を表示する表示装置とを備え、
前記表示装置に前記指針に連動して移動する表示部を表示させることを特徴とする指針式計器。
【請求項２】
透視部とこの透視部の周囲に形成される指標部とを有する指標板と、
前記透視部の周囲を前記指標部に沿って移動する指針と、
前記指標板の背後に配置され前記透視部を通じて観察者に所定情報を表示する表示装置と、
この表示装置の背後に配置され前記指針を駆動する駆動装置と、
前記表示装置を迂回して前記指針と前記駆動装置とを接続する連結部とを有し、
前記表示装置に前記指針に連動して移動する表示部を表示させることを特徴とする指針式計器。
【請求項３】
前記指針の表示色と前記表示部の表示色とが同色であることを特徴とする請求項１または請求項２記載の指針式計器。
【発明の詳細な説明】
【技術分野】
【０００１】
本発明は、例えば自動車を代表とする車両に搭載される指針式計器に関し、特に指標板の中央領域に貫通部または透明部からなる透視部が形成され、この透視部を通じて指標板の背後に配置される液晶表示装置のごとき表示装置を視認させると共に、透視部の外周にて指針式表示を行う指針式計器（以降、便宜上、センターレスタイプの指針式計器と称する）に関する。
【背景技術】
【０００２】
従来、この種のセンターレスタイプの指針式計器として、例えば下記特許文献１に記載のものが知られている。この指針式計器は、中央領域に貫通孔状の透視部とこの透視部の周囲に略円弧状に形成される数字や目盛からなる指標部とを有する環状の指標板と、この指標板の透視部に臨む液晶パネルからなる表示装置と、この表示装置と指標板との間に配置され透視部に対応する貫通孔を有するリング状の回転体と、透視部の内縁を通して回転体に装着され指標板の指標部上に延びる指針と、透視部を外れた箇所に配置され回転体を回転駆動させる駆動装置とを備え、駆動装置によって回転体を回転駆動することにより指標部上に延びる指針を回転移動させる構成である。
【特許文献１】特開２０００−１３１０９９号公報
【発明の開示】
【発明が解決しようとする課題】
【０００３】
しかしながら、特許文献１記載のセンターレスタイプの指針式計器では、その中央部領域に表示装置の表示面が位置し、この表示装置の表示面を避けて指針が表示面（透視部）の周囲に形成される指標部上を移動し指標部を指示する構成であるため、指針の長さを短く設定せざるを得なくなり、これにより指針の視認性が低下してしまうという問題があった。
そこで本発明は、前述の課題に対して対処するため、指針が透視部の周囲を移動する場合であっても、指針の視認性を向上させることが可能な指針式計器の提供を目的とするものである。
【課題を解決するための手段】
【０００４】
本発明は、第１の透視部とこの第１の透視部の周囲に形成される指標部とを有する指標板と、前記第１の透視部に対応する第２の透視部を有する回転体と、この回転体に固定され前記第１の透視部の周囲を前記指標部に沿って移動する指針と、前記回転体を回転駆動し前記指針を移動させる駆動装置と、前記指標板の背後に配置され前記第１，第２の透視部を通じて観察者に所定情報を表示する表示装置とを備え、前記表示装置に前記指針に連動して移動する表示部を表示させることを特徴とする。
【０００５】
また本発明は、透視部とこの透視部の周囲に形成される指標部とを有する指標板と、前記透視部の周囲を前記指標部に沿って移動する指針と、前記指標板の背後に配置され前記透視部を通じて観察者に所定情報を表示する表示装置と、この表示装置の背後に配置され前記指針を駆動する駆動装置と、前記表示装置を迂回して前記指針と前記駆動装置とを接続する連結部とを有し、前記表示装置に前記指針に連動して移動する表示部を表示させることを特徴とする。
【０００６】
また本発明は、前記指針の表示色と前記表示部の表示色とが同色であることを特徴とする。
【発明の効果】
【０００７】
本発明によれば、初期の目的を達成でき、指針が透視部の周囲を移動する場合であっても、指針の視認性を向上させることが可能な指針式計器を提供できる。
【発明を実施するための最良の形態】
【０００８】
（第１実施形態）以下、図面に基づいて本発明による指針式計器の第１実施形態について説明する。図１〜図４は、本発明の第１実施形態を示すもので、図１は本発明の第１実施形態による指針式計器の正面図、図２は図１のＡ−Ａ断面図、図３は同実施形態による駆動装置と回転体との連結状態、並びに回転体に固定される指針を示す斜視図、図４は図２中、Ｂ部を拡大して示す要部断面図である。
【０００９】
本実施形態による指針式計器は、図１〜図３に示すように、配線基板１と、この配線基板１上に配置される表示装置２と、この表示装置２の周囲を覆うように配置されるケース体３と、このケース体３内に収納される導光体４と、この導光体４の前方に位置する指標板５と、この指標板５の後述する指標部を指示する指針６と、この指針６を固定する回転体７と、この回転体７を回転駆動させるための駆動装置８と、回転体７を回転可能に支持する支持体９と、指標板５の前記指標部並びに指針６を露出させるための被覆部材１０とから構成されている。
【００１０】
配線基板１は、例えば硬質の回路基板からなり、表示装置２や駆動装置８を作動させる図示しない駆動制御回路が搭載されている。
【００１１】
表示装置２は、例えばＴＦＴ（薄膜トランジスタ）型液晶表示素子からなる表示パネルを枠体内に組み込んでなり、前記表示パネルの表示面が観察者に臨むように、配線基板１上に配置されている。そして、前記表示パネルの表示面には、その中心点Ｃ１を始点とし、指針６の後述する指示部の端部（端面）Ｃ２を終点とするように、前記始点（中心点Ｃ１）から前記終点（前記指示部の端部Ｃ２）に向けて延びる表示部２１が形成されている。
【００１２】
この表示部２１は、前記表示パネルの画素によって表示形成される表示画像の一部であり、指針６の長手方向における軸線Ｌに沿って線状に延びている。そして、表示部２１は後述する指針６に連動して回転移動するよう図示しない表示制御手段により、その表示位置が変化する（中心点Ｃ１を中心に軸回り移動する）ものであり、その表示色は指針６の発光色と同色に設定されている。なお、表示部２１の軸線Ｌと直交する方向に対する厚さは、指針６の長手方向（軸線Ｌ）と直交する方向に対する厚さと略等しくなるように設定されている。
【００１３】
ケース体３は、その中央部領域に例えば円形の貫通孔からなる第１の貫通部３１の形成された概略円環形状の白色板材からなり、その材質は合成樹脂からなる。この場合、第１の貫通部３１は表示装置２の前記表示面に対応して開口形成されている。またケース体３には、図４に示すように内側環状突出部３２と、外側環状突出部３３と、底壁部３４とが形成されている。内側環状突出部３２は、第１の貫通部３１を取り巻くように指標板５側に延び、指標板５の後述する第３の貫通部の周囲を背後から支持している。また外側環状突出部３３は、内側環状突出部３２の外側に位置しており、導光体４や指標板５、回転体７、支持体９等を取り囲むように被覆部材１０の後述する見返し板に延び、この見返し板の後述する外側環状突出部を背後から支持している。そして、内側環状突出部３２、外側環状突出部３３、底壁部３４によって形成される凹部に導光体４が収納保持されている。なお、第１の貫通部３１は貫通部ではなく、透明部であってもよい。
【００１４】
導光体４は、ケース体３の第１の貫通部３１に対応する第２の貫通部４１を有する概略円環形状の板材からなり、その材質は透光性の合成樹脂からなる。なお、４２は後述する光源からの光を入射する第１の入射部であり、この第１の入射部４２は導光体４の外周部表面に設けられている。４３は第１の入射部４２を通じて導光体４内に採り入れた光を第２の貫通部４１側に拡散反射させるための第１の反射部であり、この第１の反射部４３は傾斜形状に形成され、第１の入射部４２の真下、つまり導光体４の外周部背面に位置している。そして、第１の入射部４２に入射した前記光源からの光は、第１の反射部４３を通じて第２の貫通部４１側に拡散反射され、指標板５の背面と当接する導光体４の表面箇所から出射して導光体４上に積層配置されている指標板５内に入射される。
【００１５】
指標板５は、第１，第２の貫通部３１，４１に対応する第３の貫通部（第１の透視部）５１を有する概略円環形状の板材からなり、第３の貫通部５１の周囲には、指針６の移動経路に沿って円弧状に配列された文字や目盛等の指標部５２が形成されている（図１参照）。なお、５３は指標部５２の背景を形成する地色部である。これら指標部５２、地色部５３は、概略円環プレート形状を有する透光性合成樹脂材からなる図示しない基材上に印刷形成された印刷層からなり、指標部５２は例えば白色系の透光性インクにより形成され、地色部５３は黒色系の遮光性インクにより形成されている。なお、これら指標部５２、地色部５３の各印刷層はスクリーン印刷等の手段により形成されている。また、第３の貫通部５１は貫通部ではなく、透明部であってもよい。
【００１６】
指針６は、透光性の合成樹脂からなり、図３に示すように回転体７の後述する指針固定部に装着固定される概略扇形形状からなる基部６１と、この基部６１から指標板５上に向けて延びる線状の指示部６２とを有している。この場合、基部６１はその外側の一部（図３中、点線Ｐの左側）が回転体７の周囲に露出するように前記指針固定部に装着固定されており、この回転体７周囲に露出した基部６１の露出部６３の表面は前記光源の発光面と対向している。すなわち、露出部６３の表面には前記光源からの光が入射する第２の入射部６４が設けられ、さらにこの第２の入射部６４の真下となる露出部６３の背面には第２の入射部６４を通じて基部６１内に採り入れた光を指針６の先端側となる指示部６２側（端部Ｃ２側）に拡散反射させるための傾斜形状からなる第２の反射部６５が設けられている。なお、６６は指示部６２の前面に形成される赤色の透光性ホットスタンプ層である（図４参照）。
【００１７】
回転体７は、指標板５の第３の貫通部５１に対応した円形の貫通孔からなる第４の貫通部（第２の透視部）７１を有する概略円環形状の板材からなり、その材質は合成樹脂からなる。この回転体７には、歯車部７２と、指針固定部７３とが形成されている。歯車部７２は、回転体７の指針固定部７３を除いた円板部７４外周の全周にわたって形成されており、駆動装置８の後述する駆動歯車に連結される。指針固定部７３は、第４の貫通部７１を取り巻く円板部７４の一部に切り欠き形成された凹部からなり、この凹部に指針６の指示部６２と露出部６３との間に位置する基部６１箇所が嵌め込まれている。なお、７５は支持体９の後述する内側環状突出部の外縁に案内される環状突出部である。また、第４の貫通部７１は貫通部ではなく、透明部であってもよい。
【００１８】
駆動装置８は、例えばステッピングモータや交差コイル式ムーブメントからなり、回転体７の第４の貫通部７１の外側（回転体７の外周側）に位置しており、その回転軸８１には、回転体７の歯車部７２に連結される駆動歯車８２が固定されている。そして、駆動装置８の回転軸８１が計測量に応じて回転することにより、回転体７の指針固定部７３に固定された指針６が指標板５の第３の貫通部５１の周囲を指標部５２に沿って移動するようになっている。この際、かかる指針６の移動に伴って指示部６２の端部Ｃ２が移動することになるが、本実施形態では指示部６２の端部Ｃ２の移動に連動（同期）して表示装置２の前記表示面にはこの表示面の中心点Ｃ１から端部Ｃ２側に延びる表示部２１が表示されるようになっている。なお、本実施形態の場合、駆動装置８はケース体３の外側環状突出部３３の一部に切り欠き形成された図示しない切り欠き部に配設されている。
【００１９】
支持体９は、第４の貫通部７１に対応する第５の貫通部９１を有する概略円環形状の板材からなり、その材質は合成樹脂からなる。この支持体９には、内側環状突出部９２と、隆起部９３とが形成されている。また、支持板９は回転体７の背後に配置され、回転体７を支持している。なお、第５の貫通部９１は貫通部ではなく、透明部であってもよい。
【００２０】
内側環状突出部９２は、第５の貫通部９１を取り巻くように指針６側に延び、またその外形形状は回転体７の第４の貫通部７１の開口形状よりもやや径小に設定されている。なお、内側環状突出部９２の背面には概略円環形状の切り欠き部からなる溝部９４が形成されており、この溝部９４に指標板５の外周部が嵌合固定されている。また、内側環状突出部９２の内壁面には、この内壁面よりも外側に位置する回転体７や支持体９等の内機部品が視認されるのを防止するための黒色印刷層が施されている。なお、かかる黒色印刷層は支持体９の背面にも形成されており、この支持体９の背面に形成された黒色印刷層は導光体４の第１の反射部４３を通じて第２の貫通部４１側に拡散反射された光が支持体９内に供給されるのを防止している。
【００２１】
隆起部９３は、内側環状突出部９２の外側に位置する支持体９の表面９５箇所から回転体７（円板部７４）側に隆起形成された凸部からなり、その表面は曲面（球）形状に設定されている。そして、本実施形態では隆起部９３が円板部７４に沿うように等間隔に３つ形成されている。従って、回転体７の支持体９への組み付け時には、内側環状突出部９２が第４の貫通部７１の内縁に沿うように挿入（案内）されることで、回転体７は支持体９によって支持されるが、このとき回転体７はその円板部７４背面が隆起部９３に点接触するように支持体９に支持されるため、回転体７と支持体９との摩擦抵抗が抑えられ、これにより回転体７を円滑に回転させることが可能となる。
【００２２】
被覆部材１０は、指標部５２、指示部６２のそれぞれを露出し、それ以外の領域を遮蔽するように指針６の基部６１の前方に配置されている。また被覆部材１０は、見返し板１１０と、この見返し板１１０内に装着固定される回路基板１２０と、指標部５２及び指示部６２を発光させる光源１３０とを有しており、光源１３０はその発光面が指針６側を向くように回路基板１２０の背面に搭載されている。
【００２３】
見返し板１１０は、第５の貫通部９１に対応した第６の貫通部１１１を有する黒色の板材からなり、その材質は遮光性の合成樹脂からなる。この見返し板１１０には、内側環状突出部１１２と、外側環状突出部１１３と、壁部１１４とが形成されている。内側環状突出部１１２は第６の貫通部１１１を取り巻くように背後（基部６１と指示部６２との境界部側）に延び、指針６のうち指示部６２のみを露出させ、被覆部材１０の背後に位置する基部６１や回転体７を見えにくくさせる立壁部からなる。なお、第６の貫通部１１１は貫通部ではなく、透明部であってもよい。外側環状突出部１１３は、内側環状突出部１１２の外側に位置しており、ケース体３の外側環状突出部３３の上面に向けて延びている。
【００２４】
回路基板１２０は、第６の貫通部１１１に対応する第７の貫通部１２１を有する概略円環形状の硬質回路基板からなり、両突出部１１２，１１３並びに壁部１１４によって形成される凹部内にフック等の適宜手段を用いて収納固定されている。また、回路基板１２０は、光源１３０と、例えば抵抗、コンデンサ等の各種回路部品（図示せず）が配線パターンに導通接続されている。
【００２５】
光源１３０は、例えば白色光を発するチップ型発光ダイオードからなり、回路基板１２０の背面側に円弧状に複数個配列され、その発光面は指針６の位置していない箇所では導光体４の第１の入射部４２に対向し、指針６の位置している箇所では指針６の第２の入射部６４に対向している。そして、光源１３０が点灯すると、各光源１３０から発せられた光は、指針６の位置していない箇所では導光体４の第１の入射部４２にそれぞれ入射され、第１の入射部４２によって導光体４内に採り入れられた光は第１の入射部４２の真下に位置する第１の反射部４３を通じて指標板５に沿うように第２の貫通部４１側に拡散反射される。さらに、第２の貫通部４１側に拡散反射された拡散反射光は、指標板５に背面に当接する導光体４の表面箇所から出射して指標部５２内を透過することで、指標部５２が白色に発光する。
【００２６】
また、指針６の位置している箇所では各光源１３０のうち隣接する２つの光源１３０から発せられた光が略扇形形状からなる基部６１の外側に位置する第２の入射部６４にそれぞれ入射され、この第２の入射部６４によって基部６１内に採り入れられた光は、第２の入射部６４の真下に位置する第２の反射部６５に到達する。この第２の反射部６５に到達した光は第２の反射部６５によって指示部６２の先端側（端部Ｃ２側）に反射導光される反射光と、第２の反射部６５を通過して第２の反射部６５の真下に位置する導光体４の第１の入射部４２側に照射される照射光とに大別される。
【００２７】
指示部６２の端部Ｃ２側に反射導光された反射光は透光性ホットスタンプ層６６によって着色されることで指示部６２が赤色に発光する。また、第２の反射部６５を通過して導光体４側に照射される照射光は導光体４の第１の入射部４２を通じて導光体４内に供給され、指標部５２が白色に発光する。
【００２８】
このように各光源１３０の点灯時には指標部５２が白色に発光すると共に指示部６２が赤色に発光し、しかも赤色に発光した指示部６２は駆動装置８の回転駆動に応じて第１の透視部５１の周囲に位置する指標部５２上を移動し所定の指標部５２箇所を指示することになるが、本実施形態では表示装置２によって指示部６２に連動して移動する表示部２１が表示画像として表示される。従って、表示装置２の表示画像を利用して指針６の指示部６２に連なる表示部２１を追加して表示させることが可能となるため、観察者側には指示部６２の長さがあたかも表示装置２の前記表示面の中心点Ｃ１まで延長されているように視認され、つまり指示部６２の長さと表示部２１の長さとを加えた全体の長さが指示部６２として視認され、これにより指示部６２（指針６）の視認性を向上させることが可能となる。
【００２９】
また本実施形態では、指針６の指示部６２の表示色と、表示部２１の表示色とを同色にしたことにより、あたかも一本の指針のように視認させることが可能となり、デザイン調和性並びに視認性を向上させることができる。
【００３０】
なお本実施形態の場合、光源１３０の非点灯時においても、指針６前方側からの外光が指示部６２の前面に形成される赤色の透光性ホットスタンプ層６６にあたって前方に反射するため、観察者側には指示部６２が透光性ホットスタンプ層６６自体の色調である赤色によって視認され、これにより光源１３０の点灯時と同様に指示部６２が表示部２１と共にあたかも表示装置２の前記表示面の中心点Ｃ１まで延びているように視認される。
【００３１】
（第２実施形態）図５，図６は本発明の第２実施形態を示しており、本実施形態では駆動装置が表示装置の略中央部背後に配置され、この駆動装置と表示装置の表示面周囲を移動する指針とが表示装置を迂回するように配設された連結部を介して連結された場合を示している。すなわち、この第２実施形態における指針式計器は指標板２００と、この指標板２００の背後に配置される表示装置２１０と、この表示装置２１０の背後に配置される配線基板２２０と、表示装置２１０と配線基板２２０との間に配置されるフレーム体２３０と、配線基板２２０に導通装着され回転軸２４０がフレーム体２３０の背面側に向けて延びる駆動装置２５０と、この駆動装置２５０によって駆動される指針２６０と、駆動装置２５０と指針２６０とを接続する連結部２７０とを備えている。
【００３２】
指標板２００は、その中央部領域に例えば円形の貫通孔からなる透視部２０１の形成された概略円環形状の板材からなり、表示装置２１０に適宜手段により固定されている。透視部２０１の周囲には前記第１実施形態と同様に指針２６０の移動経路に沿って円弧状に配列された文字や目盛等の指標部２０２が形成されている。これら指標部２０２は、概略円環プレート形状を有する透光性合成樹脂材からなる図示しない基材上にスクリーン印刷等の手段により形成されている。また、透視部２０１は貫通部ではなく、透明部であってもよい。
【００３３】
表示装置２１０は、前記第１実施形態と同じであり、前記表示パネルの表示面が透視部２０１を通じて観察者に臨むものである。かかる前記表示パネルの表示面には、その中心点Ｃ１を始点とし、指針２６０の先端部（先端面）Ｃ２を終点とするように、前記始点（中心点Ｃ１）から前記終点（指針２６０の先端面Ｃ２）に向けて延びる表示画像である表示部２１１が表示され、この表示部２１１は指針２６０に連動して、その表示位置が変化するようになっている。
【００３４】
配線基板２２０は、例えば硬質の回路基板からなり、表示装置２１０や駆動装置２５０を作動させる図示しない駆動制御回路が搭載されている。
【００３５】
フレーム体２３０は、例えば剛性を有する金属材料または合成樹脂材料からなり、表示装置２１０を支持する支持部材としての機能を有している。また、フレーム体２３０は表示装置２１０を固定する固定部２３１を備えている。この固定部２３１は略四角形の枠状であり、また固定部２３１にはこれを保持するための脚部２３２が一体形成されている。この脚部２３２は、略Ｌ字形状からなり、フレーム体２３０に固定された表示装置２１０が振動しないように形成されている。
【００３６】
駆動装置２５０は、例えばステッピングモータや交差コイル式ムーブメントからなり、回転軸２４０が配線基板２２０を貫通するように、その主要部が配線基板２２０の背後に装着され、且つ半田付け等の適宜導通手段により図示しない配線パターンに電気接続される。なお、駆動装置２５０及びその回転軸２４０は表示装置２１０の中央部背後に位置している。
【００３７】
指針２６０は、例えば合成樹脂からなり、指標板２００上に線状に延びている。この指針２６０は指標板２００が表示装置２１０に固定されているため、指標板２００の外周と表示装置２１０を迂回した略Ｌ字形状からなる連結部２７０を介して駆動装置２５０の回転軸２４０に固定されている。なお、この場合、指針２６０は連結部２７０によって表示装置２１０やフレーム体２３０をも避けて回転軸２４０に固定されている。そして、連結部２７０に固定された指針２６０は駆動装置２５０の回転駆動により、指標板２００上を指標部２０２に沿って移動し、指標部２０２を指示している。なお、指針２６０の前面には図示しない赤色の透光性ホットスタンプ層が形成されている。
【００３８】
かかる実施形態においても、指針２６０に連動して表示装置２１０の前記表示面領域には、指針２６０の先端面Ｃ２から前記表示面の中心点Ｃ１に延びる線状の表示部２１１が表示画像として表示されるため、観察者側には指針２６０の長さがあたかも表示装置２１０の前記表示面の中心点Ｃ１まで延長されているように視認され、前記第１実施形態と同様の作用効果を得ることができる。また、この第２実施形態にあたり指針２６０を透光性の合成樹脂により形成し、この指針２６０の後部から発光ダイオードからの光を入射し、この入射光で指針２６０を発光させるようにしてもよい。
【００３９】
また前記各実施形態では、指針６，２６０と表示部２１，２１１とが同系色の色調（赤色）にて視認される場合について説明したが、本発明はこれに限定されることはなく、観察者側に指針６，２６０と表示部２１，２１１とが異なる色調によって視認されるようにしてもよい。
【００４０】
また前記各実施形態では、表示装置２，２１０の表示面に指針６，２６０に連なる表示部２１，２１１が表示される場合について説明したが、本発明はこれに限定されることはなく、表示装置２，２１０の表示面には走行距離情報やナビゲーション情報等の各種情報を表示させることも可能であり、例えば表示部２１，２１１と前記各種情報とを切替表示するようにしてもよい。なお、表示部２１，２１１は常時表示ではなく点滅表示させてもよい。
【００４１】
また前記各実施形態では、表示部２１，２１１が指針６，２６０の端面Ｃ２から表示面の中心点Ｃ１に向けて線状（棒状）に表示される場合について説明したが、本発明はこれに限定されることはなく、例えば表示部２１，２１１を端面Ｃ２から中心点Ｃ１に向けて先端側（中心点Ｃ１側）が先細りとなるように略三角形状に表示してもよいし、あるいは端面Ｃ２から端面Ｃ２と中心点Ｃ１との中間点まで表示させ、中心点Ｃ１周囲となる表示部２１，２１１の非表示領域に前記各種情報を表示させるようにしてもよい。つまり、端面Ｃ２に連なる表示部２１，２１１を表示させることによって観察者側に指針６，２６０の長さが少しでも長く表示できるものであれば任意の構成を採用することが可能である。
【００４２】
また前記第２実施形態では、連結部２７０がＬ字形状の棒形状からなる場合について説明したが、連結部２７０の形状は前記第２実施形態に限定されるものではなく、例えば指標板２００の板面方向と同一方向に広がる円盤部を備え、この円盤部と指針２６０とを接続した形状であってもよい。このように構成することによって、円盤部の回転時のバランスを取りやすくすることが可能である。
【００４３】
また前記第２実施形態では、指標板２００が表示装置２１０に固定されているために、指針２６０は指標板２００の外周と表示装置２１０を迂回していたが、前記第２実施形態に限定されるものではなく、指標板２００が表示装置２１０ではなく、図示しない部品に固定された場合は、指針２６０は表示装置２１０のみを迂回し、指標板２００の透視部２０１から指標板２００上に位置するものであってもよい。なお、指標板２００の透視部２０１近傍に連結部２７０の上端部が貫通する貫通部を設け、この貫通部から前方に突出した連結部２７０の貫通端部に指針２６０を固定してもよい。
【図面の簡単な説明】
【００４４】
【図１】本発明の第１実施形態による指針式計器の正面図である。
【図２】図１のＡ−Ａ断面図である。
【図３】同実施形態による回転体と駆動装置の連結状態、並びに回転体に固定される指針を示す斜視図である。
【図４】図２中、Ｂ部を拡大して示す要部断面図である。
【図５】本発明の第２実施形態における指針式計器の正面図である。
【図６】図５のＣ−Ｃ断面図である。
【符号の説明】
【００４５】
１，２２０  配線基板
２，２１０  表示装置
３    ケース体
４    導光体
５，２００  指標板
６，２６０  指針
７    回転体
８，２５０  駆動装置
９    支持体
１０    被覆部材
２１，２１１  表示部
５１    第３の貫通部（第１の透視部）
５２，２０２  指標部
６２    指示部
７１    第４の貫通部（第２の透視部）
８１，２４０  回転軸
１１０    見返し板
１２０    回路基板
１３０    光源
２０１    透視部
２３０    フレーム体
２７０    連結部
【図１】
2005156461.tif 000003
【図２】
2005156461.tif 000004
【図３】
2005156461.tif 000005
【図４】
2005156461.tif 000006
【図５】
2005156461.tif 000007
【図６】
2005156461.tif 000008